(57)【要約】本発明は、無線通信システムにおける１対多サービスデータを伝達する物理チャネルのリファレンス方法に関するものである。本発明においては、識別子を利用してネットワークから移動端末に伝送された特定の物理チャネル設定をリファレンスする。識別子は特定メッセージに含まれた物理チャネル設定のリストでエントリーをリファレンスする。また、第１メッセージに含まれた物理チャネル設定には、まず特定の識別番号（ｉｄｅｎｔｉｔｙ）が割り当てられる。その後、第２メッセージで特定の識別番号をリファレンスする特定の識別子を利用して、第１メッセージに含まれた物理チャネル設定を識別する。
2007533249.tif 000002
【特許請求の範囲】
【請求項１】
少なくとも１つの物理チャネルのそれぞれに関する設定情報をリストで設定して含む第１メッセージを受信する段階と、
前記第１メッセージの前記リストで前記設定情報の位置を確認することによってリファレンスされる前記設定情報の少なくとも１つをリファレンスするための第２メッセージを受信する段階と、
前記第２メッセージによりリファレンスされた前記第１メッセージに含まれた前記設定情報によって前記少なくとも１つの物理チャネルを設定する段階と、
を含むことを特徴とする無線通信システムにおける１対多サービスデータを伝達する物理チャネルのリファレンス方法。
【請求項２】
前記第１メッセージがＢＣＣＨで受信されることを特徴とする請求項１に記載の無線通信システムにおける１対多サービスデータを伝達する物理チャネルのリファレンス方法。
【請求項３】
前記第１メッセージがシステム情報メッセージであることを特徴とする請求項１に記載の無線通信システムにおける１対多サービスデータを伝達する物理チャネルのリファレンス方法。
【請求項４】
前記第１メッセージがＭＣＣＨで受信されることを特徴とする請求項１に記載の無線通信システムにおける１対多サービスデータを伝達する物理チャネルのリファレンス方法。
【請求項５】
前記第１メッセージが１対多サービス制御メッセージであることを特徴とする請求項１に記載の無線通信システムにおける１対多サービスデータを伝達する物理チャネルのリファレンス方法。
【請求項６】
前記第２メッセージがＭＣＣＨで受信されることを特徴とする請求項１に記載の無線通信システムにおける１対多サービスデータを伝達する物理チャネルのリファレンス方法。
【請求項７】
前記第２メッセージが１対多サービス制御メッセージであることを特徴とする請求項１に記載の無線通信システムにおける１対多サービスデータを伝達する物理チャネルのリファレンス方法。
【請求項８】
前記物理チャネルがＳＣＣＰＣＨであることを特徴とする請求項１に記載の無線通信システムにおける１対多サービスデータを伝達する物理チャネルのリファレンス方法。
【請求項９】
少なくとも１つの物理チャネルのそれぞれに関する設定情報を含む第１メッセージを生成する段階と、
前記第１メッセージ内に前記少なくとも１つの物理チャネルのそれぞれに関する設定情報をリストで設定する段階と、
前記第１メッセージを移動端末に伝送する段階と、
前記第１メッセージの前記リストで前記設定情報の位置を確認することによってリファレンスされる前記設定情報の少なくとも１つをリファレンスするための第２メッセージを生成する段階と、
前記第２メッセージを前記移動端末に伝送する段階と、
を含むことを特徴とする無線通信システムにおける１対多サービスデータを伝達する物理チャネルのリファレンス方法。
【請求項１０】
前記第１メッセージがＢＣＣＨで伝送されることを特徴とする請求項９に記載の無線通信システムにおける１対多サービスデータを伝達する物理チャネルのリファレンス方法。
【請求項１１】
前記第１メッセージがシステム情報メッセージであることを特徴とする請求項９に記載の無線通信システムにおける１対多サービスデータを伝達する物理チャネルのリファレンス方法。
【請求項１２】
前記第１メッセージがＭＣＣＨで伝送されることを特徴とする請求項９に記載の無線通信システムにおける１対多サービスデータを伝達する物理チャネルのリファレンス方法。
【請求項１３】
前記第１メッセージが１対多サービス制御メッセージであることを特徴とする請求項９に記載の無線通信システムにおける１対多サービスデータを伝達する物理チャネルのリファレンス方法。
【請求項１４】
前記第２メッセージがＭＣＣＨで伝送されることを特徴とする請求項９に記載の無線通信システムにおける１対多サービスデータを伝達する物理チャネルのリファレンス方法。
【請求項１５】
前記第２メッセージが１対多サービス制御メッセージであることを特徴とする請求項９に記載の無線通信システムにおける１対多サービスデータを伝達する物理チャネルのリファレンス方法。
【請求項１６】
前記物理チャネルがＳＣＣＰＣＨであることを特徴とする請求項９に記載の無線通信システムにおける１対多サービスデータを伝達する物理チャネルのリファレンス方法。
【請求項１７】
設定識別子により確認される、少なくとも１つの物理チャネルのそれぞれの設定情報を含む第１メッセージを生成する段階と、
前記設定識別子を確認することによってリファレンスされる前記第１メッセージに含まれた前記設定情報の少なくとも１つをリファレンスするための第２メッセージを受信する段階と、
前記第２メッセージによりリファレンスされた前記第１メッセージに含まれた設定情報によって前記少なくとも１つの物理チャネルを設定する段階と、
を含むことを特徴とする無線通信システムにおける１対多サービスデータを伝達する物理チャネルのリファレンス方法。
【請求項１８】
前記第１メッセージがＢＣＣＨで受信されることを特徴とする請求項１７に記載の無線通信システムにおける１対多サービスデータを伝達する物理チャネルのリファレンス方法。
【請求項１９】
前記第１メッセージがシステム情報メッセージであることを特徴とする請求項１７に記載の無線通信システムにおける１対多サービスデータを伝達する物理チャネルのリファレンス方法。
【請求項２０】
前記第１メッセージがＭＣＣＨで受信されることを特徴とする請求項１７に記載の無線通信システムにおける１対多サービスデータを伝達する物理チャネルのリファレンス方法。
【請求項２１】
前記第１メッセージが１対多サービス制御メッセージであることを特徴とする請求項１７に記載の無線通信システムにおける１対多サービスデータを伝達する物理チャネルのリファレンス方法。
【請求項２２】
前記第２メッセージがＭＣＣＨで受信されることを特徴とする請求項１７に記載の無線通信システムにおける１対多サービスデータを伝達する物理チャネルのリファレンス方法。
【請求項２３】
前記第２メッセージが１対多サービス制御メッセージであることを特徴とする請求項１７に記載の無線通信システムにおける１対多サービスデータを伝達する物理チャネルのリファレンス方法。
【請求項２４】
前記物理チャネルがＳＣＣＰＣＨであることを特徴とする請求項１７に記載の無線通信システムにおける１対多サービスデータを伝達する物理チャネルのリファレンス方法。
【請求項２５】
少なくとも１つの物理チャネルのそれぞれに関する設定情報を含む第１メッセージを生成する段階と、
前記第１メッセージに含まれた各設定情報に設定識別子を割り当てる段階と、
前記第１メッセージを移動端末に伝送する段階と、
前記設定識別子を確認することによってリファレンスされる前記第１メッセージに含まれた設定情報の少なくとも１つをリファレンスするための第２メッセージを生成する段階と、
前記第２メッセージを前記移動端末に伝送する段階と、
を含むことを特徴とする無線通信システムにおける１対多サービスデータを伝達する物理チャネルのリファレンス方法。
【請求項２６】
前記第１メッセージがＢＣＣＨで伝送されることを特徴とする請求項２５に記載の無線通信システムにおける１対多サービスデータを伝達する物理チャネルのリファレンス方法。
【請求項２７】
前記第１メッセージがシステム情報メッセージであることを特徴とする請求項２５に記載の無線通信システムにおける１対多サービスデータを伝達する物理チャネルのリファレンス方法。
【請求項２８】
前記第１メッセージがＭＣＣＨで伝送されることを特徴とする請求項２５に記載の無線通信システムにおける１対多サービスデータを伝達する物理チャネルのリファレンス方法。
【請求項２９】
前記第１メッセージが１対多サービス制御メッセージであることを特徴とする請求項２５に記載の無線通信システムにおける１対多サービスデータを伝達する物理チャネルのリファレンス方法。
【請求項３０】
前記第２メッセージがＭＣＣＨで伝送されることを特徴とする請求項２５に記載の無線通信システムにおける１対多サービスデータを伝達する物理チャネルのリファレンス方法。
【請求項３１】
前記第２メッセージが１対多サービス制御メッセージであることを特徴とする請求項２５に記載の無線通信システムにおける１対多サービスデータを伝達する物理チャネルのリファレンス方法。
【請求項３２】
前記物理チャネルがＳＣＣＰＣＨであることを特徴とする請求項２５に記載の無線通信システムにおける１対多サービスデータを伝達する物理チャネルのリファレンス方法。
【発明の詳細な説明】
【技術分野】
【０００１】
本発明は、無線通信システムにおける１対多サービスデータを伝達する物理チャネルのリファレンス方法に関し、より詳しくは、ネットワークから移動端末に伝送された特定の物理チャネル設定をリファレンスするために識別子を使用する方法に関する。
【背景技術】
【０００２】
最近、移動通信システムが飛躍的な発展をしているが、大容量のデータ通信サービスにおいては、既存の有線通信システムが提供していた性能に追いつかない。従って、大量のデータ通信を可能にする移動通信システム、ＩＭＴ‐２０００の技術開発が推進されており、その技術の標準化のために、企業及び組織間の協力が活発に行われている。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代の移動通信システムであって、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した移動通信サービスの提供を目標とする。
【０００４】
ＵＭＴＳ技術の標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）というプロジェクトを構成し、現在までＵＭＴＳの詳細な標準仕様を作成中である。
【０００５】
３ＧＰＰにおいては、各ネットワーク構成要素とこれらの動作の独立性を考慮してＵＭＴＳの標準化作業を５つの技術仕様グループ（ＴＳＧ：Ｔｅｃｈｎｉｃａｌ  Ｓｐｅｃｉｆｉｃａｔｉｏｎ  Ｇｒｏｕｐｓ）に分けて進めている。
【０００６】
各ＴＳＧは、関連した領域内で標準仕様の開発、承認、及びその管理を担当するが、これらのうち、無線アクセスネットワーク（ＲＡＮ：Ｒａｄｉｏ  Ａｃｃｅｓｓ  Ｎｅｔｗｏｒｋ）グループ（ＴＳＧ  ＲＡＮ）は、ＵＭＴＳでＷＣＤＭＡアクセス技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースの仕様を開発する。
【０００７】
図１は、一般的なＵＭＴＳネットワーク構造を示す図である。図１に示すように、ＵＭＴＳは、端末又はユーザ装置（ＵＥ）１０、ＵＴＲＡＮ１００、及びコアネットワーク（ＣＮ）２００からなる。
【０００８】
前記ＵＴＲＡＮ１００は、１つ以上の無線ネットワークサブシステム（Ｒａｄｉｏ  Ｎｅｔｗｏｒｋ  Ｓｕｂｓｙｓｔｅｍｓ：ＲＮＳ）１１０、１２０で構成される。各ＲＮＳ１１０、１２０は、無線ネットワーク制御装置（Ｒａｄｉｏ  Ｎｅｔｗｏｒｋ  Ｃｏｎｔｒｏｌｌｅｒ：ＲＮＣ）１１１、並びに前記ＲＮＣ１１１が管理する複数の基地局もしくはＮｏｄｅ  Ｂ１１２、１１３で構成される。前記ＲＮＣ１１１は、無線資源の割当及び管理を担当し、前記コアネットワーク２００とのアクセスポイントの役割を果たす。
【０００９】
各Ｎｏｄｅ  Ｂ１１２、１１３は、アップリンクで端末の物理層により伝送された信号を受信し、ダウンリンクで端末にデータを伝送する。各Ｎｏｄｅ  Ｂ１１２、１１３は、端末と前記ＵＴＲＡＮ１００とを接続するアクセスポイントの役割を果たす。
【００１０】
前記ＵＴＲＡＮ１００の主な機能は、端末とコアネットワーク２００間の通信のために無線アクセスベアラ（Ｒａｄｉｏ  Ａｃｃｅｓｓ  Ｂｅａｒｅｒ：ＲＡＢ）を形成して維持することである。前記コアネットワーク２００は、エンドツーエンドサービス品質（Ｑｕａｌｉｔｙ  ｏｆ  Ｓｅｒｖｉｃｅ：ＱｏＳ）要求事項をＲＡＢに提供し、該ＲＡＢは、コアネットワーク３０が設定したＱｏＳ要求事項をサポートする。従って、前記ＵＴＲＡＮは、ＲＡＢを構成して維持することによりエンドツーエンドＱｏＳ要求事項を充足させることができる。また、前記ＲＡＢサービスは、Ｉｕベアラサービス及び無線ベアラサービスにさらに分類することができる。前記Ｉｕベアラサービスは、前記ＵＴＲＡＮ１００の各境界ノードと前記コアネットワーク２００間におけるユーザデータの信頼できる伝送をサポートする。
【００１１】
前記コアネットワーク２００は、互いに接続されて回線交換（Ｃｉｒｃｕｉｔ  Ｓｗｉｔｃｈｅｄ：ＣＳ）サービスをサポートする移動交換局（Ｍｏｂｉｌｅ  Ｓｗｉｔｃｈｉｎｇ  Ｃｅｎｔｅｒ：ＭＳＣ）とゲートウェイ移動交換局（ＧＭＳＣ）２２０、及び互いに接続されてパケット交換（Ｐａｃｋｅｔ  Ｓｗｉｔｃｈｅｄ：ＰＳ）サービスをサポートするサービングＧＰＲＳサポートノード（ＳＧＳＮ）２３０とゲートウェイＧＰＲＳサポートノード２４０を備える。
【００１２】
特定の端末に提供されるサービスは、ＣＳサービスとＰＳサービスに大別することができる。例えば、一般的な音声対話サービスはＣＳサービスに分類され、インターネット接続によるウェブブラウジングサービスはＰＳサービスに分類される。
【００１３】
前記ＣＳサービスをサポートする場合、前記各ＲＮＣ１１１は、前記コアネットワーク２００のＭＳＣ２１０と接続される。前記ＭＳＣ２１０は、他のネットワークとの接続を管理するＧＭＳＣ２２０と接続される。
【００１４】
前記ＰＳサービスをサポートする場合、前記各ＲＮＣ１１１は、前記コアネットワーク２００のＳＧＳＮ２３０及びＧＧＳＮ２４０と接続される。前記ＳＧＳＮ２３０は、前記各ＲＮＣ１１１へのパケット通信をサポートし、前記ＧＧＳＮ２４０は、インターネットなどの他のパケット交換ネットワークとの接続を担当する。
【００１５】
各ネットワーク構成要素の間には、多様な類型のインタフェースが存在し、相互通信時、これらネットワーク構成要素が互いに情報を送受信するようにする。前記ＲＮＣ１１１とコアネットワーク２００間のインタフェースは、Ｉｕインタフェースと定義される。特に、パケット交換システムの場合、前記ＲＮＣ１１１とコアネットワーク２００間のＩｕインタフェースを「Ｉｕ−ＰＳ」と定義し、回線交換システムの場合、前記ＲＮＣ１１１とコアネットワーク２００間のＩｕインタフェースを「Ｉｕ−ＣＳ」と定義する。
【００１６】
図２は、３ＧＰＰ無線アクセスネットワークの標準に準拠した端末とＵＴＲＡＮ間の無線インタフェースプロトコルの構造を示す図である。
【００１７】
図２に示すように、前記無線インタフェースプロトコルは、水平的には、物理層、データリンク層、及びネットワーク層で構成され、垂直的には、ユーザデータを伝送するためのユーザプレーン（Ｕ−ｐｌａｎｅ）、及び制御情報を伝送するための制御プレーン（Ｃ−ｐｌａｎｅ）で構成される。
【００１８】
前記ユーザプレーンは、音声やＩＰ（Ｉｎｔｅｒｎｅｔ  Ｐｒｏｔｏｃｏｌ）パケットなどのユーザのトラフィック情報を管理する領域を意味し、前記制御プレーンは、ネットワークのインタフェース、呼の維持及び管理などに関する制御情報を管理する領域を意味する。
【００１９】
図２のプロトコル層は、ＯＳＩ（Ｏｐｅｎ  Ｓｙｓｔｅｍ  Ｉｎｔｅｒｃｏｎｎｅｃｔｉｏｎ）参照モデルの下位３層に基づいて第１層（Ｌ１）、第２層（Ｌ２）及び第３層（Ｌ３）に区分することができる。以下、各層について詳細に説明する。
【００２０】
前記第１層（Ｌ１）、すなわち、物理層（Ｐｈｙｓｉｃａｌ  Ｌａｙｅｒ：ＰＨＹ）は、多様な無線送信技術により上位層に情報伝送サービス（Ｉｎｆｏｒｍａｔｉｏｎ  Ｔｒａｎｓｆｅｒ  Ｓｅｒｖｉｃｅ）を提供し、伝送チャネルを介して上位層である媒体アクセス制御（Ｍｅｄｉｕｍ  Ａｃｃｅｓｓ  Ｃｏｎｔｒｏｌ：ＭＡＣ）層と接続されている。これらＭＡＣ層とＰＨＹ層は、伝送チャネルを介して互いにデータを交換する。
【００２１】
第２層（Ｌ２）は、ＭＡＣ層、無線リンク制御（Ｒａｄｉｏ  Ｌｉｎｋ  Ｃｏｎｔｒｏｌ：ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００２２】
前記ＭＡＣ層は、無線資源の割当及び再割当のためにＭＡＣパラメータの割当サービスを提供し、論理チャネルを介して上位層であるＲＬＣ層と接続される。
【００２３】
伝送される情報の種類によって多様な論理チャネルが提供されるが、一般に、制御プレーンの情報を伝送する場合には制御チャネルを利用し、ユーザプレーンの情報を伝送する場合にはトラフィックチャネルを利用する。論理チャネルは、共有するか否かによって共通チャネル又は専用チャネルになる。論理チャネルには、ＤＴＣＨ（Ｄｅｄｉｃａｔｅｄ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＣＣＣＨ（Ｃｏｍｍｏｎ  Ｃｏｎｔｒｏｌ  Ｃｈａｎｎｅｌ）、ＢＣＣＨ（Ｂｒｏａｄｃａｓｔ  Ｃｏｎｔｒｏｌ  Ｃｈａｎｎｅｌ）、並びにＰＣＣＨ（Ｐａｇｉｎｇ  Ｃｏｎｔｒｏｌ  Ｃｈａｎｎｅｌ）もしくはＳＨＣＣＨ（Ｓｈａｒｅｄ  Ｃｈａｎｎｅｌ  Ｃｏｎｔｒｏｌ  Ｃｈａｎｎｅｌ）がある。前記ＢＣＣＨは、端末が活用した情報を含む情報を提供してシステムにアクセスする。ＵＴＲＡＮは、前記ＰＣＣＨを利用して端末にアクセスする。
【００２４】
ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）あるいはＭＢＭＳサービスは、１対多無線ベアラ及び１対１無線ベアラの少なくとも１つを活用するダウンリンク専用ＭＢＭＳ無線ベアラを利用して複数のＵＥにストリーミングやバックグラウンドサービスを提供する方法を意味する。１つのＭＢＭＳサービスは、１つ以上のセッションを含み、前記セッション中のときにのみＭＢＭＳデータが前記ＭＢＭＳ無線ベアラで複数の端末に伝送される。
【００２５】
前記名称から分かるように、ＭＢＭＳは、ブロードキャストモードやマルチキャストモードで行われる。前記ブロードキャストモードは、ブロードキャストが可能なドメインのようなブロードキャスト地域内の全てのＵＥにマルチメディアデータを伝送するためのものである。前記マルチキャストモードは、マルチキャストサービスが可能なドメインのようなマルチキャスト地域内の特定のＵＥグループにマルチメディアデータを伝送するためのものである。
【００２６】
ＭＢＭＳの目的のために、トラフィック及び制御チャネルがさらに存在する。例えば、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を使用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を使用してＭＢＭＳサービスデータを伝送する。
【００２７】
互いに異なる論理チャネルのリストを下記に示す。
【００２８】
制御チャネル（ＣＣＨ）
‐  ＢＣＣＨ（Ｂｒｏａｄｃａｓｔ  Ｃｏｎｔｒｏｌ  Ｃｈａｎｎｅｌ）
‐  ＰＣＣＨ（Ｐａｇｉｎｇ  Ｃｏｎｔｒｏｌ  Ｃｈａｎｎｅｌ）
‐  ＤＣＣＨ（Ｄｅｄｉｃａｔｅｄ  Ｃｏｎｔｒｏｌ  Ｃｈａｎｎｅｌ）
‐  ＣＣＣＨ（Ｃｏｍｍｏｎ  Ｃｏｎｔｒｏｌ  Ｃｈａｎｎｅｌ）
‐  ＳＨＣＣＨ（Ｓｈａｒｅｄ  Ｃｈａｎｎｅｌ  Ｃｏｎｔｒｏｌ  Ｃｈａｎｎｅｌ）
‐  ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）
トラフィックチャネル（ＴＣＨ）
−  ＤＴＣＨ（Ｄｅｄｉｃａｔｅｄ  Ｔｒａｆｆｉｃ  Ｃｈａｎｎｅｌ）
−  ＣＴＣＨ（Ｃｏｍｍｏｎ  Ｔｒａｆｆｉｃ  Ｃｈａｎｎｅｌ）
−  ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）。
【００２９】
ＭＡＣ層は、伝送チャネルで物理層と接続され、管理される伝送チャネルの形態によってＭＡＣ−ｂ副層、ＭＡＣ−ｄ副層、ＭＡＣ−ｃ／ｓｈ副層、及びＭＡＣ−ｈｓ副層に分けることができる。
【００３０】
前記ＭＡＣ−ｂ副層は、システム情報のブロードキャストを担当する伝送チャネルであるＢＣＨ（Ｂｒｏａｄｃａｓｔ  Ｃｈａｎｎｅｌ）を管理する。前記ＭＡＣ−ｄ副層は、特定の端末に対する専用伝送チャネルであるＤＣＨ（Ｄｅｄｉｃａｔｅｄ  Ｃｈａｎｎｅｌ）を管理する。従って、ＵＴＲＡＮのＭＡＣ−ｄ副層は、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄ副層は各端末（ＵＥ）内に存在する。
【００３１】
前記ＭＡＣ−ｃ／ｓｈ副層は、複数の端末が共有するＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などの共通伝送チャネル、あるいは、アップリンクでは、ＲＡＣＨ（Ｒａｄｉｏ  Ａｃｃｅｓｓ  Ｃｈａｎｎｅｌ）を管理する。ＵＴＲＡＮにおいて、前記ＭＡＣ−ｃ／ｓｈ副層は、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）内に位置する。前記ＭＡＣ−ｃ／ｓｈ副層がセル領域内の全ての端末が共有しているチャネルを管理するため、各セル領域内には１つのＭＡＣ−ｃ／ｓｈ副層が存在する。また、１つのＭＡＣ−ｃ／ｓｈ副層は各端末（ＵＥ）にも存在する。図３は、ＵＥの観点から論理チャネルと伝送チャネル間の可能なマッピングを示しており、図４は、ＵＴＲＡＮの観点から論理チャネルと伝送チャネル間の可能なマッピングを示している。
【００３２】
ＲＬＣ層は、信頼性のあるデータ伝送をサポートし、上位層から伝送された複数のＲＬＣサービスデータユニット（ＲＬＣ  ＳＤＵｓ）に対する分割及び接続機能を実行する。ＲＬＣ層は、上位層から前記ＲＬＣ  ＳＤＵを受信すると、処理容量を考慮して適当な方式により各ＲＬＣ  ＳＤＵのサイズを調節してヘッダ情報が付加された所定のデータユニットを生成する。前述したように生成されたデータユニットをプロトコルデータユニット（ＰＤＵｓ）という。前記ＰＤＵは、論理チャネルを介してＭＡＣ層に伝送される。前記ＲＬＣ層は、前記ＲＬＣ  ＳＤＵ及び／又は各ＲＬＣ  ＰＤＵを保存するためのＲＬＣバッファを含む。
【００３３】
ＢＭＣ層は、コアネットワークから受信されたセルブロードキャストメッセージ（Ｃｅｌｌ  Ｂｒｏａｄｃａｓｔ  Ｍｅｓｓａｇｅ、「ＣＢ」メッセージという）をスケジューリングし、前記ＣＢメッセージを特定のセルに位置する端末にブロードキャストする。ＵＴＲＡＮのＢＭＣ層は、上位層から受信されたＣＢメッセージにメッセージＩＤ、シリアルナンバー、及びコーディング方法などの情報を追加してＢＭＣメッセージを生成した後、ＲＬＣ層に伝送する。前記ＢＭＣメッセージは、論理チャネル（すなわち、ＣＴＣＨ）を介してＲＬＣ層からＭＡＣ層に伝送される。前記ＣＴＣＨは伝送チャネル（すなわち、ＦＡＣＨ）にマッピングされ、前記ＦＡＣＨは物理チャネル（すなわち、Ｓ−ＣＣＰＣＨ（Ｓｅｃｏｎｄａｒｙ  Ｃｏｍｍｏｎ  Ｔｒａｆｆｉｃ  Ｃｈａｎｎｅｌ））にマッピングされる。
【００３４】
ＲＬＣ層の上位層であるＰＤＣＰ層は、ＩＰｖ４又はＩＰｖ６などのネットワークプロトコルで伝送されたデータが相対的に小さい帯域幅を有する無線インタフェースに効果的に伝送されるようにする。これを達成するために、ＰＤＣＰ層は、有線ネットワークで使用された不要な制御情報を減らすが、このような機能をヘッダ圧縮という。
【００３５】
無線資源制御（Ｒａｄｉｏ  Ｒｅｓｏｕｒｃｅ  Ｃｏｎｔｒｏｌ：ＲＲＣ）層は、第３層（Ｌ３）の最も下位に位置する層であり、制御プレーンでのみ定義される。前記ＲＲＣ層は、無線ベアラ（ＲＢｓ）の設定、再設定、及び解除に関する論理チャネル、伝送チャネル、及び物理チャネルを制御する。前記無線ベアラサービスは、端末とＵＴＲＡＮ間のデータ伝送のために第２層（Ｌ２）が提供するサービスを意味する。一般に、無線ベアラの設定とは、特定のデータサービスを提供するために必要なプロトコル層及びチャネルの特性を規定し、前記サービスに対する詳細なパラメータ及び動作方法を設定する過程を意味する。
【００３６】
ＲＬＣ層は、上位に接続された層のタイプによってユーザプレーン又は制御プレーンに属する。すなわち、ＲＬＣ層がＲＲＣ層からデータを受信する場合は、前記ＲＬＣ層は制御プレーンに属し、他の場合はユーザプレーンに属する。
【００３７】
無線ベアラと伝送チャネル間のマッピングが互いに異なる可能性が常にあるわけではない。ＵＥ／ＵＴＲＡＮは、ＵＥの状態やＵＥ／ＵＴＲＡＮが現在行っている過程によって可能なマッピングを推論する。異なる状態やモードについての説明は次の通りである。
【００３８】
互いに異なる伝送チャネルは、互いに異なる物理チャネルにマッピングされる。例えば、ＲＡＣＨ伝送チャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの設定は、ＲＮＣとＵＥ間のＲＲＣシグナリング交換により行われる。
【００３９】
ＲＲＣモードは、端末のＲＲＣとＵＴＲＡＮのＲＲＣの間に論理接続が存在するか否かを示す。接続が存在する場合、前記端末はＲＲＣ接続モードである。接続が存在しない場合、前記端末はアイドルモードである。ＲＲＣ接続モードの端末に対してＲＲＣ接続が存在するため、ＵＴＲＡＮは、セルユニット内に特定の端末が存在するか否か、例えば、ＲＲＣ接続モードの端末がどのセルもしくはセルのセットに存在するか、並びにどの物理チャネルをＵＥがリッスンしているかを判断できるので、端末を効果的に制御することができる。
【００４０】
一方、ＵＴＲＡＮは、アイドルモードの端末が存在するか否かを判断することができない。アイドルモードの端末が存在するか否かは、コアネットワークによってのみ判断される。特に、前記コアネットワークは、ロケーションやルーティング領域のようにセルより大きい地域内でのみアイドルモードの端末が存在するか否かを検出することができる。従って、アイドルモードの端末が存在するか否かは、大きい地域内で判断される。音声やデータのような移動通信サービスを受けるために、アイドルモードの端末は、ＲＲＣ接続モードに移るか、又は変更しなければならない。モード及び状態間の可能な変化についての説明は、図５に示す通りである。
【００４１】
ＲＲＣ接続モードのＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態のような異なる状態でもよい。前記の状態によって、ＵＥは異なるチャネルをリッスンすることができる。例えば、ＣＥＬＬ＿ＤＣＨ状態の端末は、（様々なチャネルのうち）ＤＴＣＨ及びＤＣＣＨ伝送チャネルを含み、特定のＤＰＣＨにマッピングできるＤＣＨタイプの伝送チャネルをリッスンするであろう。ＣＥＬＬ＿ＦＡＣＨ状態のＵＥは、特定のＳ−ＣＣＰＣＨ物理チャネルにマッピングされるいくつかのＦＡＣＨ伝送チャネルをリッスンするであろう。ＰＣＨ状態のＵＥは、特定のＳ−ＣＣＰＣＨ物理チャネルにマッピングされるＰＩＣＨチャネル及びＰＣＨチャネルをリッスンするであろう。
【００４２】
また、前記ＵＥは、状態によって異なる役割を果たす。例えば、異なる条件によって、ＣＥＬＬ＿ＦＡＣＨ状態のＵＥは、ＵＥ自身が１つのセルの適用範囲から他のセルの適用範囲に移動する度にセルアップデート過程を開始する。前記ＵＥは、Ｎｏｄｅ  Ｂにセルアップデートメッセージを伝送してＵＥ自身の位置変更を通知することにより、前記セルアップデート過程を開始する。前記ＵＥはＦＡＣＨのリッスンを開始する。この過程は、前記ＵＥが他の状態からＣＥＬＬ＿ＦＡＣＨ状態に変化して有効なＣ−ＲＮＴＩを有していない場合、例えば、前記ＵＥがＣＥＬＬ＿ＰＣＨ状態やＣＥＬＬ＿ＤＣＨ状態から変化したか、又はＣＥＬＬ＿ＦＡＣＨ状態のＵＥが適用範囲から外れた場合にさらに実行される。
【００４３】
前記ＣＥＬＬ＿ＤＣＨ状態で、前記ＵＥは専用無線資源が与えられて共有無線資源も利用する。これにより、前記ＵＥは高いデータレートで効率的にデータを交換することができる。しかし、前記無線資源が限られているため、ＵＴＲＡＮは、それらを効率的に利用して互いに異なるＵＥが必要なサービス品質を得ることのできるようにＵＥ間に無線資源を割り当てる。
【００４４】
ＣＥＬＬ＿ＦＡＣＨ状態のＵＥは、割り当てられた専用無線資源を有していないため、共有チャネルを介してのみＵＴＲＡＮと通信することができる。従って、前記ＵＥは無線資源をほとんど消耗しない。しかし、有効データレートは限られている。さらに、前記ＵＥは、前記共有チャネルを継続してモニタリングしなければならない。その結果、前記ＵＥが伝送を行っていない場合でもＵＥバッテリの消耗が増加する。
【００４５】
ＣＥＬＬ＿ＰＣＨ／ＵＲＡ＿ＰＣＨ状態のＵＥは、専用状況のみでページングチャネルをモニタリングし、バッテリの消耗を最小化する。しかし、ネットワークが前記ＵＥにアクセスしようとする場合、前記ページング時にこれらの要求を先に通知しなければならない。その後、前記ＵＥが前記ページングに応答した場合にのみ、前記ネットワークは、前記ＵＥにアクセスすることができる。また、前記ＵＥは、ＵＴＲＡＮにデータを伝送しようとする場合、さらなる遅延を通知するセルアップデート過程を行った後にのみ前記ネットワークにアクセスすることができる。
【００４６】
主なシステム情報をＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）上にマッピングされるＢＣＣＨ論理チャネルで伝送する。特定のシステム情報ブロックは、ＦＡＣＨチャネルで伝送される。前記システム情報を前記ＦＡＣＨで伝送すると、前記ＵＥは、前記Ｐ−ＣＣＰＣＨで受信されたＢＣＣＨ又は専用チャネルで前記ＦＡＣＨ設定を受信する。前記Ｐ−ＣＣＰＣＨは、セルの１次的な（ｐｒｉｍａｒｙ）スクランブル符号であるＰ−ＣＰＩＣＨ（Ｐｒｉｍａｒｙ  Ｃｏｍｍｏｎ  Ｐｉｌｏｔ  Ｃｈａｎｎｅｌ）と同一のスクランブル符号を利用して伝送される。
【００４７】
各チャネルは、ＷＣＤＭＡシステムで一般に利用する拡散符号を利用する。各符号は、前記符号の長さに該当する拡散率（Ｓｐｒｅａｄｉｎｇ  Ｆａｃｔｏｒ：ＳＦ）により区別される。所定の拡散率（ＳＦ）の場合、直交符号の数は、前記符号の長さと一致する。各ＳＦの場合、ＵＭＴＳシステムに記述されたように、所定の直交符号セットに０からＳＦ‐１までの番号が与えられている。各符号は、符号自身の長さ（すなわち、拡散率）と符号に与えられた番号を提示することによって識別される。前記Ｐ−ＣＣＰＣＨが使用する拡散符号は、常に固定された拡散率２５６を有し、その番号は１である。前記ＵＥは、ＵＥ自身が既に判読した隣接セルのシステム情報に関してネットワークから伝送された情報により、又はＤＣＣＨチャネルで受信したメッセージにより、又は固定されたＳＦ２５６と拡散符号番号０を利用して伝送され、固定されたパターンを伝送するＰ−ＣＰＩＣＨを検索することにより、前記１次的なスクランブル符号が分かる。
【００４８】
前記システム情報には、隣接セル、ＲＡＣＨ及びＦＡＣＨ伝送チャネルの設定、並びにＭＢＭＳサービスのための専用チャネルであるＭＣＣＨ設定に関する情報が含まれている。前記ＵＥがセルを変更する度に、前記ＵＥは、一時的に滞在するか、又はアイドルモードとなる。前記ＵＥが（ＣＥＬＬ＿ＦＡＣＨ、ＣＥＬＬ＿ＰＣＨ、あるいはＵＲＡ＿ＰＣＨ状態で）いずれかのセルを選択すると、有効なシステム情報を有しているか否かを検証する。
【００４９】
前記システム情報は、ＳＩＢｓ（Ｓｙｓｔｅｍ  Ｉｎｆｏｒｍａｔｉｏｎ  Ｂｌｏｃｋｓ）、ＭＩＢ（Ｍａｓｔｅｒ  Ｉｎｆｏｒｍａｔｉｏｎ  Ｂｌｏｃｋ）、及びスケジューリングブロックで構成される。前記ＭＩＢは非常に頻繁に伝送され、スケジューリングブロックと互いに異なるＳＩＢのタイミング情報を提供する。バリュータグ（ｖａｌｕｅ  ｔａｇ）にリンクされたＳＩＢの場合、前記ＭＩＢは、一部分のＳＩＢの最新バージョンに関する情報をも含む。バリュータグにリンクされていないＳＩＢは、期限タイマーにリンクされる。前記期限タイマーにリンクされたＳＩＢは無効になり、前記ＳＩＢの最新判読時間が前記期限タイマーの値より大きい場合、再判読する必要がある。前記バリュータグにリンクされたＳＩＢは、ＭＩＢからブロードキャストされたバリュータグと同一のバリュータグを有する場合にのみ有効である。各ブロックは、Ｃｅｌｌ、ＰＬＭＮ（Ｐｕｂｌｉｃ  Ｌａｎｄ  Ｍｏｂｉｌｅ  Ｎｅｔｗｏｒｋ）、又は等価（ｅｑｕｉｖａｌｅｎｔ）ＰＬＭＮのような前記ＳＩＢがいずれのセルで有効であるかを示す有効面積範囲を有する。面積範囲「Ｃｅｌｌ」を有するＳＩＢは、ＳＩＢ自身が判読されたセルに対してのみ有効である。面積範囲「ＰＬＭＮ」を有するＳＩＢは、全てのＰＬＭＮで有効であり、面積範囲「等価ＰＬＭＮ」を有するＳＩＢは、全てのＰＬＭＮと等価ＰＬＭＮで有効である。
【００５０】
一般に、各ＵＥは、各ＵＥが選択した、すなわち、各ＵＥが滞在しているセルがアイドルモード、ＣＥＬＬ＿ＦＡＣＨ状態、ＣＥＬＬ＿ＰＣＨ状態、あるいはＵＲＡ＿ＰＣＨ状態のとき、前記システム情報を判読する。前記システム情報から、前記各ＵＥは、同一周波数、異なる周波数、及び異なるＲＡＴ（Ｒａｄｉｏ  Ａｃｃｅｓｓ  Ｔｅｃｈｎｏｌｏｇｉｅｓ）の隣接セルに関する情報を得る。これにより、前記各ＵＥはいずれのセルがセル再選択のための候補セルであるかが分かる。
【００５１】
３ＧＰＰシステムでは、マルチメディアブロードキャストマルチキャストサービス（ＭＢＭＳ）を提供する。前記３ＧＰＰ  ＴＳＧ  ＳＡ（Ｓｅｒｖｉｃｅ  ａｎｄ  Ｓｙｓｔｅｍ  Ａｓｐｅｃｔ）は、ＭＢＭＳサービスをサポートするために要求される多様なネットワーク要素及び該当機能を定義する。従来の技術が提供していたセルブロードキャストサービスは、テキストタイプショートメッセージが特定の領域にブロードキャストされるサービスに限定される。しかし、前記ＭＢＭＳサービスは、該当サービスに加入した端末（ＵＥ）にマルチメディアデータをブロードキャストするだけではなく、マルチメディアデータをマルチキャストできるより進歩したサービスを意味する。
【００５２】
ＭＢＭＳサービスは、共通又は専用下りチャネルを利用して複数の端末にストリーミングやバックグラウンドサービスを提供する下り専用サービスである。ＭＢＭＳサービスは、ブロードキャストモードとマルチキャストモードに分けられる。前記ＭＢＭＳブロードキャストモードは、ブロードキャスト地域内に位置する全てのユーザにマルチメディアデータを容易に伝送できるようにし、前記ＭＢＭＳマルチキャストモードは、マルチキャスト地域内に位置する特定のユーザグループにマルチメディアデータを容易に伝送できるようにする。前記ブロードキャスト地域は、ブロードキャストサービスが可能な領域を意味し、前記マルチキャスト地域は、マルチキャストサービスが可能な領域を意味する。
【００５３】
図６は、マルチキャストモードを利用して特定のＭＢＭＳサービスを提供する過程を示している。前記手順は、２タイプの動作（すなわち、ＵＴＲＡＮにトランスペアレントな動作とトランスペアレントでない動作）に分けることができる。
【００５４】
以下、トランスペアレントな動作について説明する。ＭＢＭＳサービスを受信しようとするユーザは、ＭＢＭＳサービスを受信し、ＭＢＭＳサービスに関する情報を受信し、特定セットのＭＢＭＳサービスに参加するために、まずサービスに加入しなければならない。サービス案内（Ｓｅｒｖｉｃｅ  Ａｎｎｏｕｎｃｅｍｅｎｔ）は、端末に今後提供されるサービスのリストと他の関連情報を提供する。その後、ユーザはこのようなサービスに参加することができる。このような参加により、ユーザは、ユーザが加入しているサービスに関する情報を受信しようとしていることを通知してマルチキャストサービスグループの一部となる。ユーザが所定のＭＢＭＳサービスに対する興味を失うと、ユーザは前記サービスを脱退する（すなわち、ユーザはマルチキャストサービスグループの一員ではなくなる）。このような各動作は、いずれかの方法の通信方法により実行することができる（すなわち、このような各動作は、ＳＭＳ（Ｓｈｏｒｔ  Ｍｅｓｓａｇｉｎｇ  Ｓｅｒｖｉｃｅ）やインターネットアクセスにより実行することができる）。このような各動作を必ずしもＵＭＴＳシステムを利用して行う必要はない。
【００５５】
ユーザがマルチキャストグループに属するサービスを受信するために、ＵＴＲＡＮには、トランスペアレントでない次の動作が実行される。ＳＧＳＮがＲＮＣにセッションの開始を通知すると、ＲＮＣは、マルチキャストグループに属するＵＥに所定のサービスが始まったことを通知して前記サービスの受信を開始させる。必要なＵＥ動作と前記サービスのためのＰｔＭベアラ設定をブロードキャストした後、前記データ伝送を開始する。セッションが中断されると、ＳＧＳＮはＲＮＣにセッションの中断を通知し、ＲＮＣはセッションを中断する。ＳＧＳＮからのサービス伝送は、ＲＮＣがＭＢＭＳサービスデータを伝達するためのベアラサービスを提供するようにすることを意味する。
【００５６】
通知手順を行った後、ＵＥとＲＮＣとＳＧＳＮ間の他の過程を開始し、ＲＲＣ接続の設定、ＰＳドメインへの接続の設定、周波数層の収束、集計などのデータを伝送することができる。
【００５７】
ＭＢＭＳサービスを受信すると同時に、ＣＳドメインにおける音声もしくは映像の呼び出し、ＣＳもしくはＰＳドメインにおけるＳＭＳの伝達、ＰＳドメインにおけるデータ伝達、又はＵＴＲＡＮ、ＣＳ、もしくはＰＳドメインに関するシグナリングなどの他のサービスも受信することができる。
【００５８】
マルチキャストサービスとは異なり、ブロードキャストサービスにおいては、図７に示すように、サービス案内だけは、トランスペアレントな方式により実行されなければならない。加入や参加過程は必要としない。その後、ＲＮＣにトランスペアレントな前記各動作は、マルチキャストサービスに対する各動作と同一である。
【００５９】
ＭＢＭＳにおいては、ＭＣＣＨとＭＩＣＨ（ＭＢＭＳ  Ｎｏｔｉｆｉｃａｔｉｏｎ  Ｉｎｄｉｃａｔｏｒ  Ｃｈａｎｎｅｌ）の２つの制御チャネルをさらに使用する。前述したように、前記ＭＣＣＨはＦＡＣＨにマッピングされる。前記ＭＩＣＨは、新しい物理チャネルであり、ユーザに前記ＭＣＣＨチャネルを読むように通知するために使用される。前記ＭＩＣＨは、ＵＥにＤＲＸ（Ｄｉｓｃｏｎｔｉｎｕｏｕｓ  Ｒｅｃｅｐｔｉｏｎ）方式を行わせるために考案されたものである。前記ＤＲＸにより前記ＵＥのバッテリの消耗を減少させることができ、セッションが始まったサービスを前記ＵＥが認識できるようにする。前記ＭＩＣＨは、周波数収束方式の変更、１対多（ＰｔＭ）ベアラ設定の変更、１対多（ＰｔＭ）ベアラと１対１（ＰｔＰ）ベアラのスイッチングなどを前記ＵＥに通知するために使用される。このようなそれぞれの変化は、前記ＭＣＣＨが読まれることを必要とする。
【００６０】
前記ＭＣＣＨチャネルは、アクティブになったサービスに関する情報、ＭＴＣＨ設定、周波数の収束情報などを周期的に伝送する。前記ＵＥは、異なるトリガーを基準に、すなわち、セルを選択／再選択した後、所定のサービスがＭＩＣＨで通知された場合、ＤＣＣＨチャネルで通知された場合、及び他の様々な状況によって、前記ＭＣＣＨ情報を判読して前記加入したサービスを受信できる。
【００６１】
Ｓ−ＣＣＰＣＨなどの物理チャネルは、拡散率、拡散符号、符号化タイプ、伝送ブロックサイズ、及び他の属性などの特定の物理チャネルのパラメータにより特徴づけられる。一般に、前記ＵＥが前記Ｓ−ＣＣＰＣＨをリッスンしなければならないとき、前記ＵＥには前記物理チャネルのパラメータのセットが与えられる。
【００６２】
１つのセルには複数のＳ−ＣＣＰＣＨチャネルが存在し得る。通常、専用サービスの場合、ＵＥには１つのＳ−ＣＣＰＣＨチャネルのみを判読するように要求される。前記ＵＥが複数のＳ−ＣＣＰＣＨチャネルを受信する場合、ＰＩＣＨを伝達する全てのＳ−ＣＣＰＣＨ、又はＦＡＣＨチャネルを伝達する全てのＳ−ＣＣＰＣＨチャネルのように、異なる基準によってＳ−ＣＣＰＣＨチャネルのリストを作成する。前記各Ｓ−ＣＣＰＣＨチャネルには、０から前記セル内に存在するＳ−ＣＣＰＣＨの数から１を引いた数字までの番号が与えられる。従って、所定の数式により前記ＵＥがリッスンするＳ−ＣＣＰＣＨチャネルのエントリーナンバーを計算できる。例えば、前記エントリーナンバーは、図８に示すように、ＵＥ識別子のモジュロ及び有効Ｓ−ＣＣＰＣＨの数を計算して得られる。
【００６３】
このような方式は、各ＵＥが専用サービスのために１つのＳ−ＣＣＰＣＨのみをリッスンすることを意味する。また、前記ＵＥはＵＥ識別番号（ｉｄｅｎｔｉｔｙ）に基づいて前記Ｓ−ＣＣＰＣＨをリッスンする。このように、前記ＵＥはＵＥ自身が選択したセルで１つのＳ−ＣＣＰＣＨのみをリッスンする。
【００６４】
ＭＢＭＳの場合、前記Ｓ−ＣＣＰＣＨチャネルを利用して１対多（ＰｔＭ）データを伝送する。同一のＭＢＭＳデータが異なるセルに伝送されることもある。ＵＥが同一のコンテンツをＳ−ＣＣＰＣＨチャネルで伝送する２つのセルの間に位置する場合、前記２つのセルの間では、図９に示すように、ＵＥが受信できる類似したデータが複数のセルに伝送されることを利用する特定物理層結合方式を用いることが効率的である。これはＵＥが前記データを正確に受信する可能性を高める。
【００６５】
図９に示すように、ＵＥはセル１とセル２との間にある。セル１は設定１Ａを有するＳ−ＣＣＰＣＨ及び設定１Ｂを有する他のＳ−ＣＣＰＣＨを利用し、セル２は設定２Ａ及び２Ｂをそれぞれ有するＳ−ＣＣＰＣＨを利用する。前記物理層結合方式を用いるためには、セル１のＳ−ＣＣＰＣＨとセル２のＳ−ＣＣＰＣＨが結合できることをＵＥに通知する必要がある。
【００６６】
前記システム情報により設定が既に伝送されたＳ−ＣＣＰＣＨチャネルでＭＢＭＳサービスを伝送する場合、ＭＴＣＨが前記Ｓ−ＣＣＰＣＨのＦＡＣＨにマッピングされるときに前記設定を再び伝送することは非効率的である。また、物理層結合方式を用いる場合、隣接セルの各Ｓ−ＣＣＰＣＨ設定とこれと物理層結合できる現在セルの各Ｓ−ＣＣＰＣＨ設定、又はその反対の場合における伝送を繰り返し行うことは非効率的である。
【発明の開示】
【発明が解決しようとする課題】
【００６７】
そこで、本発明は、参加している１対多サービスデータを伝達する物理チャネルのリファレンス方法を提供することを目的とする。
【００６８】
本発明の付加的な特性と利点は以下に記載され、部分的には以下の説明により明らかになるか、本発明の実施により理解されるはずである。本発明の他の目的と利点は、特に、以下に記載された説明及び添付図面だけでなく、特許請求の範囲に記載された構成により実現される。
【課題を解決するための手段】
【００６９】
上記の目的を達成するために、本発明は、少なくとも１つの物理チャネルのそれぞれに関する設定情報を含む第１メッセージを生成する段階と、前記第１メッセージ内に前記少なくとも１つの物理チャネルのそれぞれに関する設定情報をリストで設定する段階と、前記第１メッセージを移動端末に伝送する段階と、前記第１メッセージの前記リストで前記設定情報の位置を確認することによってリファレンスされる前記設定情報の少なくとも１つをリファレンスするための第２メッセージを生成する段階と、前記第２メッセージを前記移動端末に伝送する段階とを含むことを特徴とする、無線通信システムにおける１対多サービスデータを伝達する物理チャネルのリファレンス方法で実現される。
【００７０】
好ましくは、前記第１メッセージはＢＣＣＨで伝送され、ここで、前記第１メッセージはシステム情報メッセージである。また、前記第１メッセージはＭＣＣＨで伝送され、ここで、前記第１メッセージは１対多サービス制御メッセージである。
【００７１】
好ましくは、前記第２メッセージはＭＣＣＨで伝送され、ここで、前記第２メッセージは１対多サービス制御メッセージである。また、前記物理チャネルはＳＣＣＰＣＨである。
【００７２】
本発明の一実施形態により、無線通信システムにおける１対多サービスデータを伝達する物理チャネルのリファレンス方法は、少なくとも１つの物理チャネルのそれぞれに関する設定情報をリストで設定して含む第１メッセージを受信する段階と、前記第１メッセージの前記リストで前記設定情報の位置を確認することによってリファレンスされる前記設定情報の少なくとも１つをリファレンスするための第２メッセージを受信する段階と、前記第２メッセージによりリファレンスされた前記第１メッセージに含まれた前記設定情報によって前記少なくとも１つの物理チャネルを設定する段階とを含む。
【００７３】
好ましくは、前記第１メッセージはＢＣＣＨで受信され、ここで、前記第１メッセージはシステム情報メッセージである。また、前記第１メッセージはＭＣＣＨで受信され、ここで、前記第１メッセージは１対多サービス制御メッセージである。
【００７４】
好ましくは、前記第２メッセージはＭＣＣＨで受信され、ここで、前記第２メッセージは１対多サービス制御メッセージである。また、前記物理チャネルはＳＣＣＰＣＨである。
【００７５】
本発明の他の実施形態により、無線通信システムにおける１対多サービスデータを伝達する物理チャネルのリファレンス方法は、少なくとも１つの物理チャネルのそれぞれに関する設定情報を含む第１メッセージを生成する段階と、前記第１メッセージに含まれた各設定情報に設定識別子を割り当てる段階と、前記第１メッセージを移動端末に伝送する段階と、前記設定識別子を確認することによってリファレンスされる前記第１メッセージに含まれた設定情報の少なくとも１つをリファレンスするための第２メッセージを生成する段階と、前記第２メッセージを前記移動端末に伝送する段階とを含む。
【００７６】
好ましくは、前記第１メッセージはＢＣＣＨで伝送され、ここで、前記第１メッセージはシステム情報メッセージである。また、前記第１メッセージはＭＣＣＨで伝送され、ここで、前記第１メッセージは１対多サービス制御メッセージである。
【００７７】
好ましくは、前記第２メッセージはＭＣＣＨで伝送され、ここで、前記第２メッセージは１対多サービス制御メッセージである。また、前記物理チャネルはＳＣＣＰＣＨである。
【００７８】
本発明のさらに他の実施形態により、無線通信システムにおける１対多サービスデータを伝達する物理チャネルのリファレンス方法は、設定識別子により確認される、少なくとも１つの物理チャネルのそれぞれの設定情報を含む第１メッセージを生成する段階と、前記設定識別子を確認することによってリファレンスされる前記第１メッセージに含まれた前記設定情報の少なくとも１つをリファレンスするための第２メッセージを受信する段階と、前記第２メッセージによりリファレンスされた前記第１メッセージに含まれた設定情報によって前記少なくとも１つの物理チャネルを設定する段階とを含む。
【００７９】
好ましくは、前記第１メッセージはＢＣＣＨで受信され、ここで、前記第１メッセージはシステム情報メッセージである。また、前記第１メッセージはＭＣＣＨで受信され、ここで、前記第１メッセージは１対多サービス制御メッセージである。
【００８０】
好ましくは、前記第２メッセージはＭＣＣＨで受信され、ここで、前記第２メッセージは１対多サービス制御メッセージである。また、前記物理チャネルはＳＣＣＰＣＨである。
【００８１】
以下の本発明に関する一般的な記載と詳細な記載は例示にすぎず、特許請求の範囲に記載された本発明の理解を助けるために提供されたものである。
【発明の効果】
【００８２】
本発明は、無線通信システムにおける１対多サービスデータを伝達する物理チャネルのリファレンス方法に関するもので、識別子を利用してネットワークから移動端末に伝送された特定の物理チャネル設定をリファレンスする。また、チャネル設定全体を送信又は受信する代わりに、ネットワークが伝送して移動端末が受信した特定の物理チャネル設定をリファレンスすることにより、端末とネットワーク間の資源をより効率的に使用できる。
【発明を実施するための最良の形態】
【００８３】
本発明は、無線通信システムにおける１対多サービスデータを伝達する物理チャネルのリファレンス方法に関する。本発明においては、識別子を利用してネットワークから移動端末に伝送された特定の物理チャネル設定をリファレンスする。チャネル設定全体を送信又は受信する代わりに、ネットワークが伝送して移動端末が受信した特定の物理チャネル設定をリファレンスすることにより、端末とネットワーク間の資源をより効率的に使用できる。一実施形態で、前記識別子は特定メッセージに含まれた物理チャネル設定のリストでエントリーをリファレンスできる。また、他の実施形態で、第１メッセージに含まれた物理チャネル設定には、まず特定の識別番号が割り当てられる。その後、第２メッセージで前記特定の識別番号をリファレンスする特定の識別子を利用して、前記第１メッセージに含まれた前記物理チャネル設定を識別できる。
【００８４】
図１０は本発明の第１実施形態による物理チャネルのリファレンス方法を示す。ネットワークは、移動端末に伝送する少なくとも１つの物理チャネル設定を含む特定メッセージを生成する。好ましくは、前記特定メッセージは、前記移動端末が受信しようとする物理チャネルの物理チャネル設定を含む。例えば、前記特定メッセージは、前記移動端末が受信しようとするＭＢＭＳサービスがマッピングされる物理チャネルの物理チャネル設定を含む。一般に、前記物理チャネル設定は、前記物理チャネルの特性に関する情報であり、（拡散率、拡散符号、符号化タイプ、伝送ブロックサイズ、及び他の属性などを含む）物理チャネルのパラメータを含むことができる。従って、前記物理チャネル設定を含む前記特定メッセージは前記移動端末に伝送されて、前記移動端末に前記チャネルの特性を通知する。前記移動端末は前記チャネルの特性を利用して前記物理チャネルの受信を設定する。
【００８５】
図１０に示すように、前記ネットワークでメッセージ１を生成して、ＳＣＣＰＣＨなどの物理チャネルの受信を設定するための物理チャネルの特性を前記移動端末に通知する。通常、前記ＳＣＣＰＣＨは、ＦＡＣＨ（Ｆｏｒｗａｒｄ  Ａｃｃｅｓｓ  Ｃｈａｎｎｅｌ）及びＰＣＨ（Ｐａｇｉｎｇ  Ｃｈａｎｎｅｌ）などの伝送チャネルの伝達に利用される。前記メッセージ１は、前記移動端末に伝送される複数のＳＣＣＰＣＨ設定を含む。各ＳＣＣＰＣＨ設定は、それぞれの物理チャネルのＳＣＣＰＣＨに関連する。前記メッセージ１は、論理チャネルＢＣＣＨで伝送されたＳＩＢ５又はＳＩＢ６メッセージであり、前記移動端末に伝送できる。また、前記メッセージ１は、論理チャネルＭＣＣＨに伝送された「ＭＢＭＳ  ＣＵＲＲＥＮＴ  ＣＥＬＬ  Ｐ−Ｔ−Ｍ  ＲＢ  ＩＮＦＯＲＭＡＴＩＯＮ」メッセージや「ＭＢＭＳ  ＮＥＩＧＨＢＯＲＩＮＧ  ＣＥＬＬ  Ｐ−Ｔ−Ｍ  ＲＢ  ＩＮＦＯＲＭＡＴＩＯＮ」メッセージなどのＭＢＭＳ特定メッセージであり、前記移動端末に伝送できる。好ましくは、前記ネットワークは、図１０に示すように、前記ＳＣＣＰＣＨ設定を前記メッセージ１に含まれたリストで設定する。
【００８６】
さらに、図１０に示すように、前記ネットワークでメッセージ２を生成して、ＳＣＣＰＣＨの受信を設定するための物理チャネルの特性を前記移動端末に通知する。前記メッセージ２は、論理チャネルＭＣＣＨに伝送された「ＭＢＭＳ  ＣＵＲＲＥＮＴ  ＣＥＬＬ  Ｐ−Ｔ−Ｍ  ＲＢ  ＩＮＦＯＲＭＡＴＩＯＮ」メッセージや「ＭＢＭＳ  ＮＥＩＧＨＢＯＲＩＮＧ  ＣＥＬＬ  Ｐ−Ｔ−Ｍ  ＲＢ  ＩＮＦＯＲＭＡＴＩＯＮ」メッセージなどのＭＢＭＳ特定メッセージであり、前記移動端末に伝送できる。
【００８７】
物理チャネルの特性を前記移動端末に継続して通知すると、前記ネットワークは、前記ＳＣＣＰＣＨ設定を既に前記移動端末に伝送した特定ＳＣＣＰＣＨに関する情報を頻繁に提供する。従って、資源を節約するために、本発明は、ＳＣＣＰＣＨ設定全体を再伝送する代わりに、前記メッセージ２により前記メッセージ１に含まれた前記ＳＣＣＰＣＨ設定をリファレンスする方法を提供する。前記メッセージ２を受信すると、前記移動端末は、前記メッセージ２によりリファレンスされた前記メッセージ１に含まれたＳＣＣＰＣＨ設定を参照して、前記メッセージ１に含まれたＳＣＣＰＣＨ設定によって前記ＳＣＣＰＣＨの受信を設定する。これにより、ネットワークが伝送して移動端末が受信したデータ量を減少させることができる。従って、システム資源を節約できる。
【００８８】
図１０に示すように、前記メッセージ１に含まれたＳＣＣＰＣＨ設定は、好ましくは、前記メッセージ２を利用して暗示的識別子（ｉｍｐｌｉｃｉｔ  ｉｄｅｎｔｉｆｉｅｒ）又はＳＣＣＰＣＨインデックス番号によりリファレンスされる。前記メッセージ２は、前記メッセージ１でリファレンスされるＳＣＣＰＣＨ設定の数に該当する暗示的識別子を含むことができる。例えば、図１０のＳＣＣＰＣＨ設定Ａ、Ｂ、Ｃ、Ｄのように前記メッセージ１に４つのＳＣＣＰＣＨ設定が存在する場合、前記メッセージ１に含まれた４つのＳＣＣＰＣＨ設定をリファレンスするために、前記メッセージ２には最大４つの暗示的識別子が存在する。ここで、前記暗示的識別子は、前記メッセージ１のリストで前記ＳＣＣＰＣＨ設定のエントリーナンバーを認識する。
【００８９】
図１０に示すように、前記メッセージ２の３つの暗示的識別子は、前記メッセージ１に含まれた３つのＳＣＣＰＣＨ設定をリファレンスする。ここで、ＳＣＣＰＣＨインデックス３は、前記メッセージ１に含まれたＳＣＣＰＣＨ設定リストで４番目のエントリーに該当する。従って、ＳＣＣＰＣＨインデックス３はＳＣＣＰＣＨ設定Ｄをリファレンスする。また、ＳＣＣＰＣＨインデックス２は、前記メッセージ１に含まれたＳＣＣＰＣＨ設定リストで３番目のエントリーに該当する。従って、ＳＣＣＰＣＨインデックス２はＳＣＣＰＣＨ設定Ｃをリファレンスする。さらに、ＳＣＣＰＣＨインデックス０は、前記メッセージ１に含まれたＳＣＣＰＣＨ設定リストで最初のエントリーに該当する。従って、前記ＳＣＣＰＣＨインデックス０はＳＣＣＰＣＨ設定Ａをリファレンスする。
【００９０】
図１１は本発明の第２実施形態による物理チャネルのリファレンス方法を示す。
【００９１】
図１１に示すように、ネットワークでメッセージ１を生成して、ＳＣＣＰＣＨの受信を設定するための物理チャネルの特性を前記移動端末に通知する。前記メッセージ１は、前記移動端末に伝送される複数のＳＣＣＰＣＨ設定を含む。各ＳＣＣＰＣＨ設定は、前記移動端末が受信しようとするそれぞれの物理チャネルのＳＣＣＰＣＨに関連する。前記メッセージ１は、論理チャネルＢＣＣＨで伝送されたＳＩＢ５又はＳＩＢ６メッセージであり、前記移動端末に伝送できる。また、前記メッセージ１は、論理チャネルＭＣＣＨに伝送された「ＭＢＭＳ  ＣＵＲＲＥＮＴ  ＣＥＬＬ  Ｐ−Ｔ−Ｍ  ＲＢ  ＩＮＦＯＲＭＡＴＩＯＮ」メッセージや「ＭＢＭＳ  ＮＥＩＧＨＢＯＲＩＮＧ  ＣＥＬＬ  Ｐ−Ｔ−Ｍ  ＲＢ  ＩＮＦＯＲＭＡＴＩＯＮ」メッセージなどのＭＢＭＳ特定メッセージであり、前記移動端末に伝送できる。好ましくは、前記ネットワークは、前記メッセージ１に含まれた各ＳＣＣＰＣＨ設定に設定識別子又はＩｄ番号を割り当てる。
【００９２】
また、図１１に示すように、前記ネットワークでメッセージ２を生成して、ＳＣＣＰＣＨの受信を設定するための物理チャネルの特性を前記移動端末に通知する。前記メッセージ２は、論理チャネルＭＣＣＨに伝送された「ＭＢＭＳ  ＣＵＲＲＥＮＴ  ＣＥＬＬ  Ｐ−Ｔ−Ｍ  ＲＢ  ＩＮＦＯＲＭＡＴＩＯＮ」メッセージや「ＭＢＭＳ  ＮＥＩＧＨＢＯＲＩＮＧ  ＣＥＬＬ  Ｐ−Ｔ−Ｍ  ＲＢ  ＩＮＦＯＲＭＡＴＩＯＮ」メッセージなどのＭＢＭＳ特定メッセージであり、前記移動端末に伝送できる。
【００９３】
物理チャネルの特性を前記移動端末に継続して通知すると、前記ネットワークは、前記ＳＣＣＰＣＨ設定を既に前記移動端末に伝送した特定ＳＣＣＰＣＨに関する情報を頻繁に提供する。従って、資源を節約するために、本発明は、ＳＣＣＰＣＨ設定全体を再伝送する代わりに、前記メッセージ２により前記メッセージ１に含まれた前記ＳＣＣＰＣＨ設定をリファレンスする方法を提供する。前記メッセージ２を受信すると、前記移動端末は、前記メッセージ２によりリファレンスされた前記メッセージ１に含まれたＳＣＣＰＣＨ設定を参照して、前記メッセージ１に含まれたＳＣＣＰＣＨ設定によって前記ＳＣＣＰＣＨの受信を設定する。これにより、ネットワークが伝送して移動端末が受信したデータ量を減少させることができる。従って、システム資源を節約できる。
【００９４】
図１１に示すように、前記メッセージ１に含まれたＳＣＣＰＣＨ設定は、好ましくは、前記メッセージ２を利用して明示的識別子（ｅｘｐｌｉｃｉｔ  ｉｄｅｎｔｉｆｉｅｒ）又はＳＣＣＰＣＨ  Ｉｄ（ｉｄｅｎｔｉｆｉｃａｔｉｏｎ）番号によりリファレンスされる。前記メッセージ２は、前記メッセージ１でリファレンスされるＳＣＣＰＣＨ設定の数に該当する明示的識別子を含むことができる。例えば、図１１のＳＣＣＰＣＨ設定Ａ、Ｂ、Ｃ、Ｄのように前記メッセージ１に４つのＳＣＣＰＣＨ設定が存在する場合、前記メッセージ１に含まれた４つのＳＣＣＰＣＨ設定をリファレンスするために、前記メッセージ２には最大４つの明示的識別子が存在する。ここで、前記明示的識別子は、ネットワークにより前記ＳＣＣＰＣＨ設定に割り当てられたＩｄ番号をリファレンスすることにより、前記メッセージ１で発見されたＳＣＣＰＣＨ設定の特定識別番号を確認する。
【００９５】
図１１に示すように、前記メッセージ２の３つの明示的識別子は、前記メッセージ１に含まれた３つのＳＣＣＰＣＨ設定をリファレンスする。前記ネットワークは任意に前記ＳＣＣＰＣＨ設定に特定のＩｄ番号を割り当てる。前記メッセージ２でＳＣＣＰＣＨ設定をリファレンスするために、前記特定のＩｄ番号が利用される。ここで、ＳＣＣＰＣＨ設定ＡにはＩｄ６が割り当てられ、ＳＣＣＰＣＨ設定ＣにはＩｄ５が割り当てられ、ＳＣＣＰＣＨ設定ＤにはＩｄ２が割り当てられる。従って、前記メッセージ２は、前記設定別に割り当てられた特定のＩｄ番号をリファレンスすることにより、前記メッセージ１に含まれた設定を識別できる。
【００９６】
本発明の第２実施形態による方法は、前記メッセージ１に含まれた設定のエントリー位置が変わるイベントの発生時に有利である。例えば、図１１のメッセージ１に新しい設定が追加されることによって、前記メッセージ１に含まれたＳＣＣＰＣＨ設定Ａのエントリー位置が第１位置から第３位置に移動した場合でも、前記ＳＣＣＰＣＨ設定Ａに割り当てられた特定のＩｄ６は同一である。従って、前記メッセージ２により前記ＳＣＣＰＣＨ設定Ａをリファレンスするとき、前記メッセージ２では前記特定Ｉｄ６を継続して使用する。従って、前記メッセージ２は、前記メッセージ１に含まれた設定のエントリー位置の変更によって設定をリファレンスするために利用される識別子を変更する必要はない。好ましくは、このような方式は、所定のサービスをＳＩＢ５又はＳＩＢ６にリスト化されたＳＣＣＰＣＨで伝送してそのサービスに定義されたＳＩＢをリファレンスする場合に用いることができる。また、このような方法は、現在セルのＳＣＣＰＣＨが結合できる隣接セルで使用可能なＳＣＣＰＣＨを示すのに用いることができる。
【００９７】
以上の実施形態及び利点は単に例示にすぎず、本発明を限定するものではない。本発明は他の種類の装置にも容易に適用でき、本発明に関する説明は請求の範囲を限定するものではなく、多様な代案、修正、及び変更が可能であることは当業者にとっては明らかである。請求の範囲においてミーンズプラスファンクションの条項は構造的同等物だけでなく同等構造を全て包括するためのものである。
【図面の簡単な説明】
【００９８】
【図１】一般的なＵＭＴＳネットワーク構造を示すブロック図である。
【図２】３ＧＰＰ無線アクセスネットワークの標準に準拠した端末とネットワーク間の無線インタフェースプロトコルの構造を示すブロック図である。
【図３】移動端末における論理チャネルの伝送チャネルへのマッピングを示す図である。
【図４】ネットワークにおける論理チャネルの伝送チャネルへのマッピングを示す図である。
【図５】ＵＭＴＳネットワークにおけるモードと状態間の遷移を示す図である。
【図６】マルチキャストモードを利用して特定のＭＢＭＳサービスを提供する過程を示す図である。
【図７】ブロードキャストサービスを提供する過程を示す図である。
【図８】移動端末がリッスンする物理チャネルのエントリーナンバーを計算する方法を示す図である。
【図９】２つのセル間の物理層結合方式を示す図である。
【図１０】本発明の第１実施形態による暗示的識別子を利用した物理チャネル設定をリファレンスする方法を示す図である。
【図１１】本発明の第２実施形態による明示的識別子を利用した物理チャネル設定をリファレンスする方法を示す図である。
【図１】
2007533249.tif 000003
【図３】
2007533249.tif 000004
【図４】
2007533249.tif 000005
【図５】
2007533249.tif 000006
【図８】
2007533249.tif 000007
【図９】
2007533249.tif 000008
【図１０】
2007533249.tif 000009
【図１１】
2007533249.tif 000010
【図２】
2007533249.tif 000011
【図６】
2007533249.tif 000012
【図７】
2007533249.tif 000013
【国際調査報告】
2007533249.tif 000014
2007533249.tif 000015